(57)【要約】【課題】現地への持ち運びが容易であり、現地での設置場所が自在であり、太陽光を効率的に集光して発電効率を上げられる携帯型太陽光発電装置を提供すること。【解決手段】直方体の発電装置本体を固定側及び回転側の発電装置本体２ａ，２ｂに分割し、対向する各発電装置本体２ａ，２ｂの表面に鏡面からなる湾曲発電面４ａを形成し、直方体の側面に設けられた連結具により回転側発電装置本体２ｂを回転させ、半筒型太陽光発電パネル３ａの太陽光発電層が貼られた湾曲発電面４ａを鏡面の湾曲反射パネル５ａに向けて配置し、半筒型太陽光発電パネル３ａの高さ位置をスプリング８ａにより調節する。【選択図】図３
2019205223.tif 000002
【特許請求の範囲】
【請求項１】
直方体の発電装置本体を固定側発電装置本体及び回転側発電装置本体に分割し、対向する前記各発電装置本体の表面に鏡面からなる湾曲反射面を形成し、
前記直方体の側面に設けられた連結具により前記回転側発電装置本体を回転させ、
半筒型太陽光発電パネルの発電層が貼られた湾曲発電面を前記湾曲反射面に向けて配置し、
前記半筒型太陽光発電パネルの高さ位置を弾性体により調節して太陽光発電させることを特徴とする携帯型太陽光発電装置。
【請求項２】
請求項1に記載した携帯型太陽光発電装置であって、前記回転側発電装置本体の長手方向を回転軸として回転させる横回転式太陽光発電装置と、前記回転側発電装置本体の短手方向を回転軸として回転させる縦回転式太陽光発電装置とが含まれ、前記縦回転式太陽光発電装置は、前記固定側発電装置本体に設けられた角度調整機構により太陽光を受光する角度が調整され、前記横回転式太陽光発電装置は、前記固定側発電装置本体及び前記回転側発電装置本体に設けられた傾斜角度調整機構により太陽光を受光する角度が調整されることを特徴とする携帯型太陽光発電装置。
【請求項３】
請求項1又は２に記載した携帯型太陽光発電装置であって、前記半筒型太陽光発電パネルは、前記固定側発電装置本体と弾性体により接続され、前記弾性体は、収縮されて前記固定側発電装置本体及び前記回転側発電装置本体のそれぞれの前記湾曲反射面の間隙内に収納されて閉じ込めて、現地まで搬送されることを特徴とする携帯型太陽光発電装置。
【請求項４】
請求項1乃至３のいずれか１項に記載した携帯型太陽光発電装置であって、前記回転側発電装置本体を前記固定側発電装置本体から離間させると、前記弾性体は、予め設定された高さ位置まで伸長し、前記湾曲反射面により反射した前記太陽光を前記湾曲発電面に投射させることを特徴とする携帯型太陽光発電装置。
【請求項５】
請求項１乃至４のいずれか１項に記載した携帯型太陽光発電装置であって、前記半筒型太陽光発電パネルは、側面に位置固定用ピン孔を有し、伸長した前記弾性体は、位置固定用ピンにより対向する前記固定側発電装置本体の側面の所望の高さ位置に設けられた位置固定用開口に高さ位置が固定されることを特徴とする携帯型太陽光発電装置。
【請求項６】
直方体の発電装置本体の長手方向を斜めに固定側発電装置本体及び回転側発電装置本体に分割し、対向する各表面側に鏡面の湾曲反射面を形成し、
前記直方体の短手方向の側面に設けられた連結具により前記回転側発電装置本体を回転させ、
湾曲発電面及び平板発電面を有する半筒型太陽光発電パネルの前記湾曲発電面を前記湾曲反射面に向けて配置し、
前記半筒型太陽光発電パネルの高さ位置を高さ調節機構により調節して太陽光発電させることを特徴とする携帯型太陽光発電装置。
【請求項７】
請求項６に記載の携帯型太陽光発電装置であって、前記半筒型太陽光発電パネルは、前記直方体の発電装置本体を固定側発電装置本体及び回転側発電装置本体に分割する際に、太陽光に対する所定の角度に調整されて開放されることを特徴とする携帯型太陽光発電装置。
【請求項８】
請求項６又は７に記載の携帯型太陽光発電装置であって、前記連結具は、前記固定側発電装置本体及び前記回転側発電装置本体のそれぞれの前記湾曲反射面の勾配が開放された際に同一直線上となるように前記固定側発電装置本体及び前記回転側発電装置本体を連結することを特徴とする携帯型太陽光発電装置。
【請求項９】
太陽光を反射させる鏡面からなる湾曲面を内面に有して底板に回転自在に接続されて開閉する太陽光反射パネルと、
前記太陽光反射パネルに反射された前記太陽光を受光して発電する半球形太陽光発電パネルと、を備え、
前記太陽光発電パネルは、中央に高さ調節ボルトを備え、高さ調節ナットにより高さ位置が調整されることを特徴とする携帯型太陽光発電装置。
【請求項１０】
請求項９に記載の携帯型太陽光発電装置であって、前記太陽光反射パネルは、四角形の各辺に十字状に接続し、対向する前記太陽光反射パネル相互を十字状に張ったワイヤーにより前記太陽光反射パネル相互を開閉することを特徴とする携帯型太陽光発電装置。
【請求項１１】
太陽光を反射させる鏡面からなる湾曲面を内面に有して底板に回転自在に接続されて開閉する太陽光反射パネルと、
前記太陽光反射パネルに反射された前記太陽光を受光して発電する逆円錐形太陽光発電パネルと、を備え、
前記太陽光発電パネルは、中央に高さ調節ボルトを備え、高さ調節ナットにより高さ位置が調節されることを特徴とする携帯型太陽光発電装置。
【請求項１２】
請求項１１に記載の携帯型太陽光発電装置であって、前記太陽光反射パネルは、四角形の底板に対向して接続され、前記太陽光反射パネル相互を連結して張ったワイヤーにより前記太陽光反射パネル相互を開閉することを特徴とする携帯型太陽光発電装置。
【請求項１３】
請求項９乃至１２のいずれか１項に記載の携帯型太陽光発電装置であって、前記半球形太陽光発電パネル又は逆円錐形太陽光発電パネルは、前記底板に設けられた傾斜角度調整機構により前記太陽光を受光する角度が調整されることを特徴とする携帯型太陽光発電装置。
【発明の詳細な説明】
【技術分野】
【０００１】
本発明は、携帯型太陽光発電装置に係り、被災地などの現地で簡易に設置可能な携帯型太陽光発電装置に関する。
【背景技術】
【０００２】
太陽光発電装置は、ソーラパネルとして建物の屋根などに設置されるのが一般的である。しかし、太陽光発電装置自体を移動可能な携帯型とし、例えば、地震、台風、津波などの災害時に太陽光発電装置を簡易な方法で現地に持ち込み、簡単に設置することができれば、各地に大量の太陽光発電装置が展開できる。また、同じ地域でも太陽光発電装置を簡易に移動することができれば、より効率的なエネルギ供給が可能になる。
【０００３】
また、過疎および高齢化が進む地方の集落、山間部、離島などでは、緊急時に恒常的な電力供給設備を整備するのは難しい。そこで、例えば、役場、市役所、公民館などの公共施設に携帯型の太陽光発電装置を用意しておくと、何時でも何処にでも持ち込んで一時的に電力を供給することができる。さらに、使用後は元の場所に戻して常設とし、次の緊急時において再出動させることも可能になる。なお、本太陽光発電装置は、例えば、地震、台風、津波などの災害時に限らず常時使用できること、及び、過疎および高齢化が進む地方の集落、山間部、離島などに限らずいずれの地域にも使用できることは言うまでもない。
【０００４】
特許文献１には、作業性よく安定して効率の良い発電状況が作出でき、使用勝手に優れ、実用性を有する携帯型太陽光発電装置が開示されている。ここでは、太陽光発電ユニットとして、太陽光発電シートと、太陽光発電シートを巻き取るローラとを内蔵し、太陽光発電シートをローラに巻き取って引き出し可能に収納し、収納ケースから引き出された太陽光発電シートを支持して斜め上方に伸張した姿勢に保持するシート支持手段を備ることが記載されている。
【０００５】
特許文献２には、巻き取りローラを省略した簡単な構造により簡単に収納、展開することができる携帯型太陽光発電装置が開示されている。ここでは、長手方向に沿って筒状に巻くことができる可撓性を有した太陽光発電シートと、この太陽光発電シートの長手方向一端側に連設され、他端側から筒状に巻かれた太陽光発電シートの外周面上に巻かれて、この太陽光発電シートを筒状の状態で内部に収納する同じく可撓性を有したカバーシートとからなることが記載されている。
【０００６】
特許文献３には、太陽光のエネルギが低い時間帯であっても太陽光による一定の発電量を効率的に確保できる太陽光発電装置が開示されている。ここでは、太陽光発電装置が、円筒状に巻いた複数のフィルム型の太陽電池パネルを積み重ねた太陽光発電部と、円筒状の太陽光発電部の内側に設けられ、太陽電池パネルを保持するパネル保持部と、太陽光発電部を周方向に囲むように設置され、凹状の曲面により太陽光を反射させて太陽電池パネルに投射させる太陽光反射部と、太陽光反射部の曲面の形状を変化させる曲面駆動部と、曲面駆動部の動作を制御する曲面制御部と、を備えることが記載されている。
【０００７】
上述した特許文献１〜３には、携帯用太陽電池発電シートが採用されている。この太陽電池発電シートの材料としてシリコンが用いられる。このシリコンは、大きく結晶シリコンとアモルファス（ａｍｏｒｐｈｏｕｓ）シリコンとに分類される。このうち、アモルファスシリコンを用いた太陽電池は、１０μｍ以下の厚みの薄膜シリコン型に分類される。これは、光吸収係数が高いため厚さが薄くとも実用化が可能となるからである。そして、結晶シリコンを用いた太陽電池と比較して高温時に出力が落ちにくいという特性を有する。さらに、極端な低照度下での効率が高いという特性を有する。一方、結晶シリコンを用いた太陽電池は、従来、光吸収係数が低いため実用的な吸収量を得るには最低２００μｍ程度のシリコン層が必要とされていたが、技術の発達によりシリコン層が数μｍ〜５０μｍといった薄膜シリコン型に分類できる太陽電池が開発されている。
【０００８】
これらの結晶シリコンやアモルファスシリコンのシリコン層の厚みを薄くしたフィルム型太陽電池パネルが実用化されている。薄膜にしたことでフィルムのような可撓性が得られ、重量が軽くフレキシブルであるため、曲面屋根など従来の結晶シリコンによる平板状の太陽電池パネルでは適用が難しい場所に採用されている。このシリコン層の厚みを薄くしたのがフィルム型の太陽電池パネルであり、局面に自在に対応できるという特性を有している。
【０００９】
太陽光発電において、より多くの発電量を得るには、太陽光発電パネルを設置する方位と傾斜角とが重要となる。方位に関しては真南が最適であるが、傾斜角については太陽の高度が季節ごとに変化するため太陽高度に従って設置しなければならない。すなわち、太陽光パネルの表面に対して太陽光が直角に当たるように設置するのが最も効率的である。しかし、太陽光発電パネルの傾斜角度を太陽高度に従って自動的に変化させるのは現実的ではない。そこで、本発明の携帯型太陽光発電装置では、被災地に持ち込んで設置することから方位に関しては真南に設置自在であり、傾斜角度は、年間最適傾斜角を考慮して設定することにする。例えば、東京都内の場合には年間最適傾斜角は約３０度前後である。また、地方の集落、山間部、離島などで過疎および高齢化が進む地方、或いは災害が発生した被災地において発電量のシミュレーションを試みて年間最適傾斜角度を算出しても良い。
【先行技術文献】
【特許文献】
【００１０】
【特許文献１】特開２０１４−７５６１５号公報
【特許文献２】特開２０１２−４４００号公報
【特許文献３】特開２０１２−２８６５８号公報
【発明の概要】
【発明が解決しようとする課題】
【００１１】
地方の集落、山間部、離島などで過疎および高齢化が進む地域では、通常の電力供給が不十分な場合があり、新たに電力を供給するためにコストが嵩むという問題がある。また、台風、地震、津波などの災害が発生した場合、通常の電力供給が断絶されている場合が多く、携帯用の太陽光発電装置を被災地などの現地に持ち込み必要な電力を確保することが求められている。しかし、太陽光発電装置を携帯可能にするには太陽光発電装置自体を小型せざるを得なくなる。それにより発電量が減少して装置の発電効率が低くなる。つまり、単位電力量に対する発電コストが通常の電力と比べて割高になってしまうという問題がある。
【００１２】
また、太陽光発電装置は、上述した問題を解決すべく、より受光面積の大きな太陽電池パネルを採用する場合がある。しかし、太陽電池パネルの受光面積を大きくすると持ち運びが容易ではなく設置の際に場所を取ってしまうという課題があり、「携帯用」とは言えなくなり普及が促進されないという問題がある。
【００１３】
また、太陽光発電装置を用いた発電は、太陽光のエネルギが低下する雨天時又は曇天時、或いは、夕暮時又は夜間時には発電量を確保することが難しいという問題がある。そのため、これらの状況の中でいかに効率的に電力量を確保するかが課題となる。
【００１４】
本願の目的は、かかる課題を解決し、現地への持ち運びが容易であり、現地での設置場所が自在であり、太陽光を効率的に集光して発電効率を上げることができる携帯型太陽光発電装置を提供することである。
【課題を解決するための手段】
【００１５】
上記目的を達成するため、本発明に係る携帯型太陽光発電装置は、直方体の発電装置本体を固定側発電装置本体及び回転側発電装置本体に分割し、対向する各発電装置本体の表面に鏡面からなる湾曲反射面を形成し、直方体の側面に設けられた連結具により回転側発電装置本体を回転させ、半筒型太陽光発電パネルの発電層が貼られた湾曲発電面を湾曲反射面に向けて配置し、半筒型太陽光発電パネルの高さ位置を弾性体により調節して太陽光発電させることを特徴とする。
【００１６】
上記構成により、携帯型太陽光発電装置は、台風、地震、津波などの災害が発生した現場（以下、単に「現地」という。）において、予め固定側発電装置本体及び回転側発電装置本体に分割した直方体の発電装置本体を閉じた状態でその現地に搬入し、直方体の側面に設けられた連結具により固定側発電装置本体に対して回転側発電装置本体を回転させて太陽光の方向に向けさせることができる。これにより、持ち運びが容易で場所を取らずに現地に搬入及び設置が可能となる。
【００１７】
また、半筒型太陽光発電パネルの湾曲発電面を各発電装置本体の表面に設けられた鏡面からなる湾曲反射面に向けて配置することができる。そして、半筒型太陽光発電パネルの高さ位置を弾性体により調節することで太陽光を湾曲発電面に集中的に反射させて太陽光発電させることができる。また、半筒型太陽光発電パネルの頂部にも太陽光を直接投射させて太陽光発電ができ、太陽光を効率よく集光して発電効率を上げることが可能になる。
【００１８】
このように、本携帯型太陽光発電装置は、太陽光を反射させる部位を曲面状である湾曲反射面とし、反射された太陽光を受光する部位を同様に曲面状である湾曲発電面とすることで、太陽光を効率的に集光して発電効率を上げることができ、システム自体をコンパクトにすることができる。
【００１９】
また、携帯型太陽光発電装置は、回転側発電装置本体の長手方向を回転軸として回転させる横回転式太陽光発電装置と、回転側発電装置本体の短手方向を回転軸として回転させる縦回転式太陽光発電装置とが含まれ、縦回転式太陽光発電装置は、固定側発電装置本体に設けられた角度調整機構により太陽光を受光する角度が調整され、横回転式太陽光発電装置は、固定側発電装置本体及び回転側発電装置本体に設けられた傾斜角度調整機構により太陽光を受光する角度が調整されることが好ましい。つまり、発電装置本体を閉じて現地に搬入する際に、固定側発電装置本体用、及び回転側発電装置本体用の半筒型太陽光発電パネルに接続された弾性体を収縮させて固定側発電装置本体及び回転側発電装置本体のそれぞれの湾曲反射面の間隙内に収納させることができる。これにより、現地に搬入する際には、半筒型太陽光発電パネルをコンパクトに携帯型太陽光発電装置の内部に内蔵させることができ、携帯型太陽光発電装置は現地への持ち込みが容易で場所を取らずに現地に設置が可能となる。
【００２０】
また、携帯型太陽光発電装置は、半筒型太陽光発電パネルが固定側発電装置本体と弾性体により接続され、弾性体は収縮されて固定側発電装置本体及び回転側発電装置本体のそれぞれの湾曲反射面の間隙内に収納されて閉じ込められて、現地まで搬送されることが好ましい。これにより、弾性体は予め収縮されてコンパクトになり、固定側発電装置本体及び回転側発電装置本体のそれぞれの湾曲反射面の間隙内に収納することができる。そして、回転側発電装置本体及び固定側発電装置本体にそれぞれ閉じ込めて搬送することができる。
【００２１】
また、携帯型太陽光発電装置は、回転側発電装置本体を固定側発電装置本体から離間させると、弾性体は予め設定された高さ位置まで伸長し、湾曲反射面により反射した太陽光を湾曲発電面に投射させることが好ましい。これにより、現地へ持ち込んだ際に、回転側発電装置本体を固定側発電装置本体から離間させることで太陽光発電パネルを予め設定された高さ位置にすることができる。そして、回転側発電装置本体及び固定側発電装置本体のいずれにも弾性体を予め設定された高さ位置まで伸長させることができる。
【００２２】
また、携帯型太陽光発電装置は、半筒型太陽光発電パネルが側面に位置固定用ピン孔を有し、伸長した弾性体は、位置固定用ピンにより対向する固定側発電装置本体の側面の所望の高さ位置に設けられた位置固定用開口に高さ位置が固定されることが好ましい。これにより、太陽光発電パネルを所望の高さ位置に容易に固定することができる。
【００２３】
上記目的を達成するため、本発明に係る携帯型太陽光発電装置は、直方体の発電装置本体の長手方向を斜めに固定側発電装置本体及び回転側発電装置本体に分割し、対向する各表面側に鏡面の湾曲反射面を形成し、直方体の短手方向の側面に設けられた連結具により回転側発電装置本体を回転させ、湾曲発電面及び平板発電面を有する半筒型太陽光発電パネルの湾曲発電面を前記湾曲反射面に向けて配置し、半筒型太陽光発電パネルの高さ位置を高さ調節機構により調節して太陽光発電させることを特徴とする。
【００２４】
上記構成により、携帯型太陽光発電装置は、直方体の発電装置本体を固定側発電装置本体及び回転側発電装置本体に分割する際に、直方体の発電装置本体の長手方向を斜めに切断する。この操作により、回転側発電装置本体が回転されると太陽光発電パネルは、太陽光に対して角度を持って太陽光を受光することができ、上述した傾斜角度調整機構は不要となる。
【００２５】
また、携帯型太陽光発電装置は、半筒型太陽光発電パネルが直方体の発電装置本体を固定側発電装置本体及び回転側発電装置本体に分割する際に、太陽光に対する所定の角度に調整されて開放されることが好ましい。これにより、半筒型太陽光発電パネルの高さ位置を調整することは、直方体の発電装置本体を固定側発電装置本体及び回転側発電装置本体に分割する際に設定することができる。
【００２６】
また、携帯型太陽光発電装置は、連結具が固定側発電装置本体及び回転側発電装置本体のそれぞれの湾曲反射面の勾配が開放された際に同一直線上となるように固定側発電装置本体及び回転側発電装置本体を連結することが好ましい。このように、半筒型太陽光発電パネルの高さ位置を設定することで固定側発電装置本体及び回転側発電装置本体を直線状に配置し、配線などを容易にすることができる。
【００２７】
上記目的を達成するため、本発明に係る携帯型太陽光発電装置は、太陽光を反射させる鏡面からなる湾曲面を内面に有して底板に回転自在に接続されて開閉する太陽光反射パネルと、太陽光反射パネルに反射された太陽光を受光して発電する半球形太陽光発電パネルとを備え、太陽光発電パネルが中央に高さ調節ボルトを備え、高さ調節ナットにより高さ位置が調節されることを特徴とする。
【００２８】
上記構成により、携帯型太陽光発電装置は、底板に回転自在に接続される太陽光反射パネルを閉じて現地に持ち込み、太陽光を反射させる鏡面からなる湾曲面を内面に有する太陽光反射パネルを開き、半球形太陽光発電パネルの高さ位置を調節して太陽光反射パネルに反射された太陽光を受光して発電させる。また、半球形太陽光発電パネルの頂部は、太陽光を直接受光して効率的に発電できる。本実施形態では、太陽光反射パネルの枚数は４枚とするが、この枚数に限らず、例えば、６枚、８枚等の任意の枚数であっても良い。
【００２９】
また、携帯型太陽光発電装置は、太陽光反射パネルが四角形の各辺に十字状に接続し、対向する太陽光反射パネル相互を十字状に張ったワイヤーにより太陽光反射パネル相互を開閉することが好ましい。これにより、対向する太陽光反射パネル相互を連結するワイヤーにより太陽光反射パネルを自在に開閉させることができる。すなわち、太陽光反射パネルを搬送する場合は、太陽光反射パネルをクロス状に接続するワイヤーを上方に持ち上げることで太陽光反射パネルは閉じる。そして、上方に持ち上げたワイヤーを下すことで太陽光反射パネルは開き太陽光を半球形太陽光発電パネルに反射させて発電させる。
【００３０】
上記目的を達成するため、本発明に係る携帯型太陽光発電装置は、太陽光を反射させる鏡面からなる湾曲面を内面に有して底板に回転自在に接続されて開閉する太陽光反射パネルと、太陽光反射パネルに反射された太陽光を受光して発電する逆円錐形太陽光発電パネルとを備え、太陽光発電パネルは、中央に高さ調節ボルトを備え、高さ調節ナットにより高さ位置が調節されることを特徴とする。
【００３１】
上記構成により、携帯型太陽光発電装置は、底板に回転自在に接続される太陽光反射パネルを閉じて現地に持ち込み、太陽光を反射させる鏡面からなる湾曲面を内面に有する太陽光反射パネルを開き、逆円錐形太陽光発電パネルの高さ位置を調節して太陽光反射パネルに反射された太陽光を受光して発電させる。このように、湾曲面を有する太陽光反射パネルにより太陽光を反射させて太陽光発電パネルに投射するには、太陽光発電パネルを逆円錐形にする必要がある。また、逆円錐形太陽光発電パネルの頂部は、太陽光を直接受光して効率的に発電できる。
【００３２】
また、携帯型太陽光発電装置は、太陽光反射パネルが四角形の底板に対向して接続され、太陽光反射パネル相互を連結して張ったワイヤーにより太陽光反射パネル相互を開閉することが好ましい。これにより、太陽光反射パネル相互を連結して張られたワイヤーを上方に持ち上げたり、上方に持ち上げたワイヤーを下げたりすることで太陽光反射パネルを開閉させることができる。
【００３３】
また、携帯型太陽光発電装置は、半球形太陽光発電パネル又は逆円錐形太陽光発電パネルは、底板に設けられた傾斜角度調整機構により太陽光を受光する角度が調整されることが好ましい。これにより、半球形太陽光発電パネル又は逆円錐形太陽光発電パネルの場合においても底板に設けられた傾斜角度調整機構により太陽光を受光する角度を調整することができる。
【発明の効果】
【００３４】
以上のように、本発明に係る携帯型太陽光発電装置によれば、現地への持ち運びが容易であり、現地での設置場所が自在であり、太陽光を効率的に集光して発電効率を上げることができる。
【図面の簡単な説明】
【００３５】
【図１】本発明に係る携帯型太陽光発電装置の第１の実施形態である横回転式太陽光発電装置の回転機構及び傾斜角度調整機構の概略構成を示す斜視図である。
【図２】携帯型太陽光発電装置の第２の実施形態である縦回転式太陽光発電装置の回転機構及び傾斜角度調整機構の概略構成を示す斜視図である。
【図３】第１及び第２の実施形態における、スプリングによる太陽光発電パネルの高さ調整機構を示す側面図及び斜視図である。
【図４】第１及び第２の実施形態における、角度調整機構による発電装置本体の太陽光受光角度の調整機構を示す断面図である。
【図５】携帯型太陽光発電装置の第３の実施形態である傾斜回転式太陽電池の回転機構の基本構造を示す斜視図である。
【図６】傾斜回転式太陽電池における、高さ調節プレートによる太陽光発電パネルの高さ調節機構の構成を示す断面図である。
【図７】図５のＡ−Ａ断面詳細図、及び図６のＢ−Ｂ断面詳細図である。
【図８】図６のＣ−Ｃ断面詳細図、及び高さ調節プレートの詳細図である。
【図９】携帯型太陽光発電装置の第４の実施形態である半球形太陽光発電装置の開閉機構の概要を説明する断面図である。
【図１０】図９（ｂ）の半球形太陽光発電装置の平面図である。
【図１１】携帯型太陽光発電装置の第５の実施形態である逆円錐形太陽光発電装置の開閉機構の概要を説明する断面図である。
【図１２】図１１（ｂ）の逆円錐形太陽光発電装置の平面図である。
【発明を実施するための形態】
【００３６】
（回転式太陽光発電装置）
図１に、本発明に係る携帯型太陽光発電装置の第１実施形態である横回転式太陽光発電装置１ａの概略構成を示す。また、図２に本発明に係る携帯型太陽光発電装置の第２実施形態である縦回転式太陽光発電装置１ｂの概略構成を示す。これら横回転式太陽光発電装置１ａ及び縦回転式太陽光発電装置１ｂを回転式太陽光発電装置と称する。
【００３７】
携帯型太陽光発電装置の発電装置本体２は、軽量で加工が容易な材料で制作するのが好ましい。例えば、発砲スチロールなどの合成樹脂素材であり、この合成樹脂素材には、発砲スチロールのほかに発泡ポリスチレン、発泡スチレン、ポリスチレンフォーム、スチレンフォーム、スタイロフォームが含まれる。携帯型太陽光発電装置には、太陽光発電装置としてコントローラ、バッテリ、インバータなどの付属品が必要となるが、これらの合成樹脂素材の加工により携帯型太陽光発電装置の内部に容易に設置スペースを設けることができる。また、バッテリに関しては、鉛シール電池などの従来技術に代替して、例えば、リチウムイオン電池、ニッケル水素電池などの軽量な二次電池を使用しても良い。
【００３８】
（横回転又は縦回転）
携帯型太陽光発電装置に関して、「横回転」とは、図１（ａ）に示すように、直方体の発電装置本体２を厚み方向に分割し、直方体の長辺方向１１ａに開いて固定側発電装置本体２ａ及び回転側発電装置本体２ｂに分割することをいう。一方、「縦回転」とは、図２（ａ）に示すように、直方体の発電装置本体２を厚み方向に分割し、直方体の短辺方向１１ｂに開いて固定側発電装置本体２ａ及び回転側発電装置本体２ｂに分割することをいう。いずれの場合についても、横回転式太陽光発電装置１ａ及び縦回転式太陽光発電装置１ｂは、閉じられてロック機構１２が掛けられた状態で現地に搬送される。そして、このロック機構１２が外されて「横回転」又は「縦回転」されて開けられて太陽光１０を受光する。なお、本携帯型太陽光発電装置には、発電装置本体２の長辺方向１１ａの長さと短辺方向１１ｂの長さが等しい立方体の場合も含まれ、発電装置本体２の回転する方向により「横回転」又は「縦回転」のいずれにもなり得る。
【００３９】
直方体の発電装置本体２の分割方法は、発電装置本体２の長辺方向１１ａの側面又は短辺方向１１ｂの側面のいずれかを等分に分割しても良く、発電装置本体２の側面２０を斜め方向に非等分に分割しても良い。この発電装置本体２の側面２０は、図１（ａ），図２（ａ）に示すように、直方体の長辺方向１１ａである長辺方向側面２０ａ、及び短辺方向１１ｂである短辺方向側面２０ｂからなる。図１は長辺方向側面２０ａを等分に分割した場合を示し、図２は短辺方向側面２０ｂを等分に分割した場合を示す。
【００４０】
そして、図１（ａ）では、直方体の回転側発電装置本体２ｂを直方体の長辺方向側面２０ａに設けられた連結具により横回転方向（Ｒ１）に回転させ、固定側発電装置本体２ａと同じ高さに揃える。また、図２（ａ）では、直方体の回転側発電装置本体２ｂを直方体の短辺方向側面２０ｂに設けられた連結具により縦回転方向（Ｒ２）に回転させ、固定側発電装置本体２ａと同じ高さに揃える。このように、分割された発電装置本体２は「横回転」又は「縦回転」により展開される。
【００４１】
（傾斜角度調節機構）
図１（ｂ）及び図２（ｂ）に示すように、これらの横回転式太陽光発電装置１ａ及び縦回転式太陽光発電装置１ｂには、太陽光１０の入射角度を付ける傾斜角度調整機構７を設けることができる。すなわち、横回転式太陽光発電装置１ａの場合は、連結具である丁番９ａにより開放された状態で固定側発電装置本体２ａ及び回転側発電装置本体２ｂのそれぞれの下部に設けられた傾斜角度調整機構７であるパネル支持棒７ａにより図１（ｂ）に示す横回転の傾斜距離Ｓ１だけ端部を持ち上げることで、太陽光１０を受光する傾斜角度（α）が付けられる。一方、縦回転式太陽光発電装置１ｂの場合は、連結具である丁番９ａにより開放した状態で固定側発電装置本体２ａ又は回転側発電装置本体２ｂのいずれかの下部に設けられた傾斜角度調整機構７であるパネル支持棒７ａにより図２（ｂ）に示す縦回転の傾斜距離Ｓ２だけ端部を持ち上げることで、太陽光１０を受光する傾斜角度（α）が付けられる。この傾斜角度調節機構７は、本携帯型太陽光発電装置の受光角度が調節可能である各種の方法があるが、本発明では、ボルト及びナットを用い、ボルトを回転させて傾斜角度（α）を調節し、ナットによりボルトの長さを固定するパネル支持棒７ａによる傾斜角度調整方法を用いる。このように、横回転式太陽光発電装置１ａでは、固定側発電装置本体２ａ及び回転側発電装置本体２ｂは、それぞれ個別に傾斜角度（α）を付けなければならないが、縦回転式太陽光発電装置１ｂでは、固定側発電装置本体２ａ及び回転側発電装置本体２ｂは、一体化して傾斜角度（α）を付けられるという違いがある。
【００４２】
また、連結具である丁番９ａは、固定側発電装置本体２ａ及び回転側発電装置本体２ｂのそれぞれの勾配が開放時に同一直線上となるように固定側発電装置本体２ａ及び回転側発電装置本体２ｂを連結することができる。これにより、図３（ｃ）に示すそれぞれの平板発電面４ｂは、同一の角度を持って太陽光１０を受光する。
【００４３】
（太陽光発電パネル）                      
図３（ａ）に示すように、横回転式太陽光発電装置１ａ及び縦回転式太陽光発電装置１ｂにおいて、固定側発電装置本体２ａに取り付く太陽光発電パネル（固定側）と、回転側発電装置本体２ｂに取り付く太陽光発電パネル（回転側）とは、固定側発電装置本体２ａ及び回転側発電装置本体２ｂの間隙内部に圧縮されて運搬される。そして、現地で回転側発電装置本体２ｂは連結具により固定側発電装置本体２ａに対して回転され、内部に圧縮されていた太陽光発電パネルは、固定側発電装置本体２ａに取り付く太陽光発電パネル（固定側）と、回転側発電装置本体２ｂに取り付く太陽光発電パネル（回転側）に分離される。これにより、携帯型太陽光発電装置は、コンパクトな状態で現地まで持ち運ぶことができる。
【００４４】
（太陽光発電パネルの構成）
図３（ａ）に示すように、太陽光発電パネル（固定側）及び太陽光発電パネル（回転側）は、いずれも断面の上面が平面で下半分が半円状の筒である半筒型太陽光発電パネル３ａ及び高さ調整機構からなる。この高さ調整機構は、本発明では例えばスプリング８ａであるが、弾性を示す部材であればスプリング８ａに限らず他の部材でも良い。このスプリング８ａは、現地で回転側発電装置本体２ｂが固定側発電装置本体２ａに対して回転されて開放されると上方に伸長して、図３（ａ）に示すように半筒型太陽光発電パネル３ａを押し上げる。
【００４５】
（太陽光発電面）
図３（ｃ）に示すように、太陽光発電パネル（固定側）及び太陽光発電パネル（回転側）は、それぞれ太陽光１０を受光して発電を行う太陽光発電面を有する。この太陽光発電面は、湾曲発電面４ａ及び平板発電面４ｂから構成される。湾曲発電面４ａは、半筒型太陽光発電パネル３ａの下部に設けられ、湾曲反射パネル５ａにより反射された太陽光１０を受光する部位である。平板発電面４ｂは、半筒型太陽光発電パネル３ａの上部に設けられた平端な部分であり、太陽光１０を直接受光して発電を行う部位である。湾曲発電面４ａ及び平板発電面４ｂは、表面に太陽光１０を受光して発電する太陽光発電層４ｅを有している。
【００４６】
（太陽光反射部）
図３（ｃ）に示すように、固定側発電装置本体２ａと回転側発電装置本体２ｂとは、太陽光１０を反射して湾曲発電面４ａに投射する固定側及び回転側の湾曲反射パネル５ａを有する。固定側及び回転側に設けられた太陽光反射パネル５は、それぞれ太陽光１０を湾曲面で反射して湾曲発電面４ａに投影するため鏡面処理された太陽光反射部６を有する。従って、固定側発電装置本体２ａ及び回転側発電装置本体２ｂに降り注ぐ太陽光１０のうち、周辺部に降り注がれた太陽光１０は、湾曲発電面４ａに集中的に投影されて太陽光発電を行い、中心部に降り注がれた太陽光１０は、平板発電面４ｂにて太陽光発電を行う。また、図３（ｂ）には、圧縮された状態のスプリング８ａを示し、図３（ｃ）には、開放されて上方に伸長した後のスプリング８ａについて太陽光１０の投射の様子を図示する。
【００４７】
（高さ調節機構）
図４に、固定側発電装置本体２ａ及び回転側発電装置本体２ｂについて、スプリング８ａにより太陽光発電パネルが上昇する様子を側面から示す。図４（ａ）は、短辺方向１１ｂからみた太陽光発電パネルの上昇であり、図４（ｂ）は、長辺方向１１ａからみた太陽光発電パネルの上昇である。太陽光発電パネルは、湾曲反射パネル５ａにより反射された太陽光１０が湾曲発電面４ａに集中的に投射されなければならない。そのため、太陽光発電パネルの高さ位置を引き上げる弾性体であるスプリング８ａを備える。本願では、高さ調節機構の実施例として、弾性体であるスプリング８ａを用いた場合を示す。このスプリング８ａは、圧縮させて固定側発電装置本体２ａ及び回転側発電装置本体２ｂのそれぞれの湾曲反射パネル５ａの間隙内に収納させて閉じ込める。そして、回転側発電装置本体２ｂを固定側発電装置本体２ａに対して離間させ、開放させた際にスプリング８ａが所望の高さまで伸長するように予めスプリング８ａの硬さ、即ち弾性変形量を調節することができる。
【００４８】
この太陽光発電パネルを上昇させる高さ調節機能は、弾性体であるスプリング８ａに限らず他の方法でも良い。例えば、鉄道車両に用いられる集電装置である菱形のパンタグラフのように折り畳み式により太陽光発電パネルを所定の高さに持ち上げる高さ調節機能を用いても良い。或いは、門型リフタを応用して太陽光発電パネルを所定の高さに持ち上げる高さ調節機能でも良く、接点がピン接合された平行四辺形のフレームの角度を変化させて太陽光発電パネルを所定の高さに持ち上げる高さ調節機能でも良い。
【００４９】
また、図４（ｂ）に示すように、半筒型太陽光発電パネル３ａは、長辺方向１１ａの側面に位置固定用ピン孔２２を有し、位置固定用ピン２３により高さ位置が固定されて搬送される。そして、この位置固定用ピン２３を位置固定用ピン孔２２から外すことでスプリング８ａが上方に伸長する。
【００５０】
図５（ａ），図６（ｂ）及び図６（ｃ）に、本発明に係る携帯型太陽光発電装置の第３実施形態である傾斜回転式太陽装置１ｃの概略構成を示す。図５（ａ）には、直方体の発電装置本体２の分割方法を斜視図で示す。図６（ｂ）には、発電装置本体２の回転方法を側面図で示す。図６（ｃ）には、半筒型太陽光発電パネル３ａの高さ調節機構を側面図で示す。この傾斜回転式太陽装置１ｃの特徴は、太陽光１０に対する傾斜角度（α）について図１（ｃ）及び図２（ｃ）に示すパネル支持棒７ａを使用せずに発電装置本体２の分割の際に傾斜角度を設定し、回転側発電装置本体２ｂを回転するだけで自動的に傾斜角度（α）が得られる点である。
【００５１】
図５（ａ）に示すように、直方体の発電装置本体２を分割する際に、発電装置本体２の側面２０を斜め方向に分割する。そして、図６（ｂ）に示すように、直方体の回転側発電装置本体２ｂを直方体の長辺方向側面２０ａに設けられた丁番９ａにより回転させる。この回転操作により、直方体の発電装置本体２に内蔵されていた半筒型の太陽光発電パネルは、固定側及び回転側の太陽光発電パネルに２分割される。さらに、丁番９ａの回転により、回転側発電装置本体２ｂの分割面は、固定側発電装置本体２ａの分割面とほぼ直線的に揃えることができる。そして、回転側の太陽光発電パネルは、回転後にパネル支持棒７ａにより支持されて安定する。図６（ｃ）に示すように、本実施形態では、高さ調節プレート８ｂにより太陽光発電パネル（固定側）及び太陽光発電パネル（回転側）の高さ位置が調節される。
【００５２】
図７（ａ），（ｂ）及び図８（ｃ），（ｄ）に、高さ調節プレート８ｂによる固定側及び回転側の半筒型太陽光発電パネル３ａの高さ調節の構成を詳細図にて示す。図７（ａ）に図５（ａ）のＡ−Ａ断面を示す。また、図７（ｂ）に図６（ｂ）のＢ−Ｂ断面を示す。さらに、図８（ｃ）に図６（ｃ）のＣ−Ｃ断面を示す。図７（ａ）は、回転する前の固定側の半筒型太陽光発電パネル３ａである。太陽光発電パネルは、固定側及び回転側の半筒型太陽光発電パネル３ａがそれぞれの平板発電面４ｂで接触して固定側発電装置本体２ａ及び回転側発電装置本体２ｂとの間に収納されている。固定側及び回転側の半筒型太陽光発電パネル３ａの表面の湾曲発電面４ａ及び平板発電面４ｂには、太陽光発電層４ｅが設けられている。また、固定側発電装置本体２ａには湾曲反射パネル５ａが設けられている。また、回転側発電装置本体２ｂには湾曲反射パネル５ａが設けられている。それらの表面には、例えば鏡面処理などが施された太陽光反射部６が設けられている。図７（ｂ）は、高さ調節プレート８ｂによる高さ調整前の半筒型太陽光発電パネル３ａの詳細図である。半筒型太陽光発電パネル３ａは、高さ調節ボルト８ｃ及び高さ調節ナット８ｄにより所望の高さ位置に調節される。図８（ｃ）は、高さ調節プレート８ｂによる高さ調節後の太陽光発電パネルの詳細図である。この高さ調節プレート８ｂは、図８（ｄ）に示すように、プレートの中央に長孔１５が設けられ高さ調節ボルト８ｃ及び高さ調節ナット８ｄにより高さ位置が調節される。
【００５３】
（半球形太陽光発電装置）
図９に、携帯型太陽光発電装置の第４実施形態である半球形太陽光発電装置１ｄのパネル開閉機構の概要を説明する。また、図１０（ｃ）に、図９（ｂ）の半球形太陽光発電装置１ｄの平面図を示す。本実施形態は、半球形太陽光発電パネル３ｂと十字湾曲反射パネル５ｂとの組み合わせにより、太陽光発電を行う実施形態である。
【００５４】
図９（ａ），（ｂ）及び図１０（ｃ）に示すように、半球形太陽光発電装置１ｄは、太陽光１０を反射させる鏡面からなる湾曲面を内面に有して底板１９に回転自在に接続されて開閉する十字湾曲反射パネル５ｂと、その十字湾曲反射パネル５ｂに反射された太陽光１０を受光して発電する半球形太陽光発電パネル３ｂと、４枚の十字湾曲反射パネル５ｂが連結具により回転自在に接続する底板１９とを備える。図９（ａ）は、十字湾曲反射パネル５ｂが中央部の半球形太陽光発電パネル３ｂを包むように閉じた場合を示す。半球形太陽光発電装置１ｄは、この閉状態で現地に搬入される。図９（ｂ）は、現地において十字湾曲反射パネル５ｂが開いた場合であり、底部に設けられた傾斜角度調整機構７により傾斜角度が設定されて太陽光１０を受光して太陽光発電を行う。図１０（ｃ）は、図９（ｂ）の開状態のワイヤー貫通孔１８ｄの平面図である。
【００５５】
（パネル開閉機構）
図９（ａ），（ｂ）及び図１０（ｃ）に、クロスする２本の開閉用ワイヤー１８ａを用いて４枚の単軸湾曲反射パネル５ｃを開閉させる機構を説明する。開閉用ワイヤー１８ａは、対向する単軸湾曲反射パネル５ｃ同士に設けられたワイヤー固定部１８ｂを連結する。この開閉用ワイヤー１８ａの長さは、図９（ｂ）に示すように、十字湾曲反射パネル５ｂが最も開いた場合に完全に緊張するように設定される。従って、図９（ａ）に示すように４枚の十字湾曲反射パネル５ｂの閉状態では、この開閉用ワイヤー１８ａは、弛緩してしまう。そこで、これら２本の開閉用ワイヤー１８ａを上方に引き上げて十字湾曲反射パネル５ｂを手繰り寄せ、ワイヤー固定バンド１８ｃにより十字湾曲反射パネル５ｂの位置を固定する。そして、このワイヤー固定バンド１８ｃを外すことで開閉用ワイヤー１８ａが最も緊張した位置に固定する。これらの開閉用ワイヤー１８ａは、図９（ａ）に示すように、十字湾曲反射パネル５ｂが閉じた状態では、中央の高さ調節ボルト８ｃの頂部に設けられたワイヤー貫通孔１８ｄを貫通することで位置が設定される。また、十字湾曲反射パネル５ｂが開いた状態では、図９（ｂ）及び図１０（ｃ）に示すように、ワイヤー貫通孔１８ｄの上面に沿って十字湾曲反射パネル５ｂを所定の位置に固定する。
【００５６】
（高さ調節機構）
図９（ａ）に示すように、半球形太陽光発電装置１ｄは、底板１９の中央部に固定された高さ調節ボルト８ｃを備える。そして、図９（ｂ）に示すように、半球形太陽光発電パネル３ｂは、高さ調節ナット８ｄにより高さが調節される。すなわち、単軸湾曲反射パネル５ｃにより反射された太陽光１０が最も効率よく半球形太陽光発電パネル３ｂに投射するように高さ調整をする。
【００５７】
（傾斜角度調整機構）
半球形太陽光発電パネル３ｂは、底板１９に設けられた傾斜角度調整機構７である底板角度調整ボルト７ｂにより太陽光１０を受光する角度が調整される。すなわち、傾斜角度調整機構７は、２枚の底板１９が角度調整用丁番９ｃにより回転自在であり、底板角度調整ボルト７ｂを回転させることにより傾斜角度（α）が調整される。
【００５８】
（逆円錐形太陽光発電装置）
図１１（ａ），図（ｂ）に、携帯型太陽光発電装置の第５実施形態である逆円錐形太陽光発電装置１ｅのパネル開閉機構の概要を説明する。また、図１２（ｃ）に、図１１（ｂ）の逆円錐形太陽光発電装置１ｅの平面図を示す。本実施形態は、逆円錐形太陽光発電パネル３ｃと単軸湾曲反射パネル５ｃとの組み合わせにより、太陽光発電を行う実施形態である。
【００５９】
図１１（ａ），（ｂ）及び図１２（ｃ）に示すように、逆円錐形太陽光発電装置１ｅは、太陽光１０を反射させる鏡面からなる湾曲面を内面に有して底板１９に回転自在に接続されて開閉する単軸湾曲反射パネル５ｃと、単軸湾曲反射パネル５ｃに反射された太陽光１０を受光して発電する逆円錐形太陽光発電パネル３ｃと、２枚の単軸湾曲反射パネル５ｃが連結具により回転自在に接続する底板１９とを備える。図１１（ａ）は、単軸湾曲反射パネル５ｃが閉じた場合である。この閉じた状態で現地に搬入される。図１１（ｂ）は、現地において単軸湾曲反射パネル５ｃが開いた場合であり、底部に設けられた傾斜角度調整機構７により傾斜角度が設けられて太陽光１０を受光して太陽光発電を行う。図１１（ｃ）は、図１１（ｂ）の状態のワイヤー貫通孔１８ｄの平面図である。
【００６０】
（パネル開閉機構）
図１１（ａ），（ｂ）及び図１２（ｃ）に、１本の開閉用ワイヤー１８ａを用いて２枚の単軸湾曲反射パネル５ｃを開閉させる機構を説明する。開閉用ワイヤー１８ａは、対向する単軸湾曲反射パネル５ｃ同士に設けられたワイヤー固定部１８ｂを連結する。この開閉用ワイヤー１８ａの長さは、図１１（ｂ）に示すように、単軸湾曲反射パネル５ｃが最も開いた場合に完全に張るように設定される。従って、図１１（ａ）に示すように２枚の単軸湾曲反射パネル５ｃが閉じた状態では、この開閉用ワイヤー１８ａは、弛緩してしまう。そこで、これら２本の開閉用ワイヤー１８ａを上方に引っ張って単軸湾曲反射パネル５ｃを手繰り寄せ、ワイヤー固定バンド１８ｃにより単軸湾曲反射パネル５ｃの位置を固定する。そして、このワイヤー固定バンド１８ｃを外すことで開閉用ワイヤー１８ａが最も開いた位置に固定する。これらの開閉用ワイヤー１８ａは、図１１（ａ）に示すように、単軸湾曲反射パネル５ｃが閉じた状態では、中央の高さ調節ボルト８ｃの頂部に設けられたワイヤー貫通孔１８ｄを貫通することで位置が設定されている。また、単軸湾曲反射パネル５ｃが開いた状態では、図１１（ｂ）及び図１２（ｃ）に示すように、ワイヤー貫通孔１８ｄの上面に沿って単軸湾曲反射パネル５ｃを所定の位置に固定する。
【００６１】
（高さ調節機構）
逆円錐形太陽光発電装置１ｅは、底板１９の中央部に固定された高さ調節ボルト８ｃを備える。そして、図１１（ａ）に示すように、逆円錐形太陽光発電パネル３ｃは、高さ調節ナット８ｄにより高さが調節される。図１１（ｂ）に示すように、単軸湾曲反射パネル５ｃが開くと高さ調節ナット８ｄを回転させて高さ調節ボルト８ｃにより上昇させて逆円錐形太陽光発電装置１ｅの高さ位置を調整する。すなわち、単軸湾曲反射パネル５ｃにより反射された太陽光１０が最も効率よく逆円錐形太陽光発電装置１ｅに投射するように高さ調整をする。
【００６２】
（傾斜角度調整機構）
逆円錐形太陽光発電装置１ｅは、底板１９に設けられた傾斜角度調整機構７である底板角度調整ボルト７ｂにより太陽光１０を受光する角度が調整される。すなわち、傾斜角度調整機構７は、２枚の底板が角度調整用丁番９ｃにより回転自在であり、底板角度調整ボルト７ｂを回転させることにより傾斜角度が調整される。
【００６３】
以上の実施形態で説明された携帯型太陽光発電装置の構成、形状、大きさ、及び配置関係については、本発明が理解、実施できる程度に概略的に示したものにすぎない。従って、本発明は、説明された実施形態に限定されるものではなく、特許請求の範囲に示される技術的思想の範囲を逸脱しない限り様々な形態に変更することができる
【符号の説明】
【００６４】
１ａ  横回転式太陽光発電装置，１ｂ  縦回転式太陽光発電装置，１ｃ  傾斜回転式太陽光発電装置，１ｄ  半球形太陽光発電装置，１ｅ  逆円錐形太陽光発電装置、２  発電装置本体，２ａ  固定側発電装置本体，２ｂ  回転側発電装置本体、３ａ  半筒型太陽光発電パネル（固定側），３ａ´  半筒型太陽光発電パネル（回転側），３ｂ  半球形太陽光発電パネル，３ｃ  逆円錐形太陽光発電パネル、４ａ  湾曲発電面，４ｂ  平板発電面，４ｄ  太陽光発電層、５ａ  湾曲反射パネル，５ｂ  十字湾曲反射パネル，５ｃ  単軸湾曲反射パネル、６  太陽光反射部、７  傾斜角度調整機構，７ａ  パネル支持棒，７ｂ  底板角度調整ボルト，７ｃ  底板角度調整ナット、８ａ  スプリング，８ｂ  高さ調節プレート，８ｃ  高さ調節ボルト，８ｄ  高さ調節ナット、９ａ  丁番，９ｂ  固定用アングル，９ｃ  角度調整用丁番、１０  太陽光、１１ａ  長辺方向，１１ｂ  短辺方向、１２  ロック機構、１５  長孔、１８ａ  開閉用ワイヤー，１８ｂ  ワイヤー固定部，１８ｃ  ワイヤー固定バンド，１８ｄ  ワイヤー貫通孔、１９  底板、２０  側面，２０ａ  長辺方向側面，２０ｂ  短辺方向側面、２２  位置固定用ピン孔、２３  位置固定用ピン、α  傾斜角度、Ｒ１  横回転方向，Ｒ２  縦回転方向、Ｓ１  横回転の傾斜距離，Ｓ２  縦回転の傾斜距離。
【図１】
2019205223.tif 000003
【図２】
2019205223.tif 000004
【図３】
2019205223.tif 000005
【図４】
2019205223.tif 000006
【図５】
2019205223.tif 000007
【図６】
2019205223.tif 000008
【図７】
2019205223.tif 000009
【図８】
2019205223.tif 000010
【図９】
2019205223.tif 000011
【図１０】
2019205223.tif 000012
【図１１】
2019205223.tif 000013
【図１２】
2019205223.tif 000014